(57)【要約】【課題】よりユーザの好みに近いデザインの広告を容易に得る。【解決手段】サーバ４は、ＰＯＰデータを表示サンプルとして端末表示部２４に表示させ、表示させる表示サンプルの切り替え操作に応じて表示サンプルとして表示されるＰＯＰ候補データを各ＰＯＰ候補データに設定されている表示順位に基づいて選択するＣＰＵ４１を備え、複数のＰＯＰ候補データは、２次元的に配列させた場合に第１の軸方向に並ぶ複数のＰＯＰ候補データ間で第１の表示態様種別における表示態様が互いに異なり且つ第２の軸方向に並ぶ複数のＰＯＰ候補データ間で第２の表示態様種別における表示態様が互いに異なる配列となるように表示順位付けされ、ＣＰＵ４１は、当該配列において第１の軸方向又は第２の軸方向に隣接するＰＯＰ候補データを、切り替え後の表示サンプルとして選択するための切り替え操作を受け付ける。【選択図】図２
2018147362.tif 000002
【特許請求の範囲】
【請求項１】
複数の表示構成要素からなる広告を、表示サンプルとして表示画面に表示させる表示制御手段と、
前記表示画面に表示させる表示サンプルの切り替え操作を受け付ける受付手段と、
前記受付手段により受け付けた切り替え操作に応じて、切り替え後の表示サンプルとして表示されることとなる表示候補を、複数の表示候補のなかから各表示候補に設定されている表示順位に基づいて選択する選択手段と、
を備え、
前記複数の表示候補は、前記表示順位に基づいて前記複数の表示候補を仮に２次元的に配列させた場合に、第１の軸方向に並ぶ複数の表示候補間で第１の表示態様種別における表示態様が互いに異なり且つ第２の軸方向に並ぶ複数の表示候補間で第２の表示態様種別における表示態様が互いに異なる配列となるように、表示順位付けされており、
前記受付手段は、前記配列において、切り替え前の表示サンプルに対応した表示候補に隣接する表示候補のうち、前記第１の軸方向または前記第２の軸方向に隣接する表示候補を、切り替え後の表示サンプルとして前記選択手段が選択するための操作として、前記切り替え操作を受け付けることを特徴とする広告作成装置。
【請求項２】
前記広告は、前記複数の表示構成要素が互いに異なるカテゴリに分類されていることを特徴とする請求項１に記載の広告作成装置。
【請求項３】
対象の商品又は役務の販売促進を目的とした広告を作成する広告作成装置であって、
ユーザにより入力される前記対象の商品又は役務を特定する特定情報に基づき、前記広告を構成する表示構成要素を選択する選択手段と、
前記選択手段により選択される前記表示構成要素を取得して前記特定情報と組み合わせることで表示候補を作成する作成手段と、
前記作成手段により作成される前記表示候補を表示画面に表示させる表示制御手段と、を備え、
前記表示制御手段は、ユーザにより第１の切り替え操作が入力された場合に、前記表示画面に表示される表示候補に含まれる第１の表示構成要素の表示態様が異なる表示候補を前記表示画面に表示させ、ユーザにより第２の切り替え操作が入力された場合に、前記表示画面に表示される表示候補に含まれる第２の表示構成要素の表示態様が異なる表示候補を前記表示画面に表示させることを特徴とする広告作成装置。
【請求項４】
前記表示画面は、タッチパネル方式の操作表示手段であり、
前記第１の切り替え操作は、一方向へのスワイプ操作であり、
前記第２の切り替え操作は、前記一方向に交差する方向へのスワイプ操作であることを特徴とする請求項３に記載の広告作成装置。
【請求項５】
前記第１の表示構成要素及び前記第２の表示構成要素はそれぞれ、レイアウト、アイキャッチ、書体、背景、フォント色、テクスチャ及びイラストのいずれかであることを特徴とする請求項３又は４に記載の広告作成装置。
【請求項６】
ユーザによる操作に応じて、前記第１の表示構成要素及び前記第２の表示構成要素を設定する設定手段を備えることを特徴とする請求項３から５のいずれか一項に記載の広告作成装置。
【請求項７】
コンピュータを、
複数の表示構成要素からなる広告を、表示サンプルとして表示画面に表示させる表示制御手段、
前記表示画面に表示させる表示サンプルの切り替え操作を受け付ける受付手段、
前記受付手段により受け付けた切り替え操作に応じて、切り替え後の表示サンプルとして表示されることとなる表示候補を、複数の表示候補のなかから各表示候補に設定されている表示順位に基づいて選択する選択手段、
として機能させるためのプログラムであって、
前記複数の表示候補は、前記表示順位に基づいて前記複数の表示候補を仮に２次元的に配列させた場合に、第１の軸方向に並ぶ複数の表示候補間で第１の表示態様種別における表示態様が互いに異なり且つ第２の軸方向に並ぶ複数の表示候補間で第２の表示態様種別における表示態様が互いに異なる配列となるように、表示順位付けされており、
前記受付手段は、前記配列において、切り替え前の表示サンプルに対応した表示候補に隣接する表示候補のうち、前記第１の軸方向または前記第２の軸方向に隣接する表示候補を、切り替え後の表示サンプルとして前記選択手段が選択するための操作として、前記切り替え操作を受け付けることを特徴とするプログラム。
【請求項８】
対象の商品又は役務の販売促進を目的とした広告を作成する広告作成装置のコンピュータを、
ユーザにより入力される前記対象の商品又は役務を特定する特定情報に基づき、前記広告を構成する表示構成要素を選択する選択手段、
前記選択手段により選択される前記表示構成要素を取得して前記特定情報と組み合わせることで表示候補を作成する作成手段、
前記作成手段により作成される前記表示候補を表示画面に表示させる表示制御手段、
として機能させるためのプログラムであって、
前記表示制御手段は、ユーザにより第１の切り替え操作が入力された場合に、前記表示画面に表示される表示候補に含まれる第１の表示構成要素の表示態様が異なる表示候補を前記表示画面に表示させ、ユーザにより第２の切り替え操作が入力された場合に、前記表示画面に表示される表示候補に含まれる第２の表示構成要素の表示態様が異なる表示候補を前記表示画面に表示させることを特徴とするプログラム。
【発明の詳細な説明】
【技術分野】
【０００１】
本発明は、広告作成装置及びプログラムに関する。
【背景技術】
【０００２】
従来、販促効果を高める目的でＰＯＰ（Point of purchase advertising）等の広告を作成する広告作成装置の開発が進められている。当該広告作成装置としては、例えば、商品の在庫数に基づいて商品名や価格を含むＰＯＰを作成するシステム等が提案されている（例えば、特許文献１参照）。
【先行技術文献】
【特許文献】
【０００３】
【特許文献１】特開２０１３−１９６４８８号公報
【発明の概要】
【発明が解決しようとする課題】
【０００４】
ここで、ＰＯＰに掲載される情報が同一であっても、ＰＯＰを構成するレイアウトや背景等が異なるだけで、そのＰＯＰ全体から受ける印象は大きく異なる。しかしながら、ＰＯＰを構成する各要素を種々変化させるには、ＰＯＰ編集画面において各要素を選択し直す必要があるため、自分の好みのデザインを見つけ出すことは煩雑であり、時間と労力を要する。
【０００５】
そこで、本発明は、よりユーザの好みに近いデザインの広告を容易に得られる広告作成装置及びプログラムを提供することを目的としている。
【課題を解決するための手段】
【０００６】
以上の課題を解決するため、請求項１に記載の発明の広告作成装置は、
複数の表示構成要素からなる広告を、表示サンプルとして表示画面に表示させる表示制御手段と、
前記表示画面に表示させる表示サンプルの切り替え操作を受け付ける受付手段と、
前記受付手段により受け付けた切り替え操作に応じて、切り替え後の表示サンプルとして表示されることとなる表示候補を、複数の表示候補のなかから各表示候補に設定されている表示順位に基づいて選択する選択手段と、
を備え、
前記複数の表示候補は、前記表示順位に基づいて前記複数の表示候補を仮に２次元的に配列させた場合に、第１の軸方向に並ぶ複数の表示候補間で第１の表示態様種別における表示態様が互いに異なり且つ第２の軸方向に並ぶ複数の表示候補間で第２の表示態様種別における表示態様が互いに異なる配列となるように、表示順位付けされており、
前記受付手段は、前記配列において、切り替え前の表示サンプルに対応した表示候補に隣接する表示候補のうち、前記第１の軸方向または前記第２の軸方向に隣接する表示候補を、切り替え後の表示サンプルとして前記選択手段が選択するための操作として、前記切り替え操作を受け付けることを特徴とする。
【発明の効果】
【０００７】
本発明によれば、よりユーザの好みに近いデザインの広告を容易に得られる広告作成装置及びプログラムを提供することができる。
【図面の簡単な説明】
【０００８】
【図１】本実施形態の広告作成システムを示す概略構成図である。
【図２】サーバの機能構成を示すブロック図である。
【図３】携帯端末の機能構成を示すブロック図である。
【図４】サーバにより行われるＰＯＰデータ作成処理の一例を示すフローチャートである。
【図５】情報入力前の入力画面の一例を示す図である。
【図６】情報入力後の入力画面の一例を示す図である。
【図７】プレビュー画面の一例を示す図である。
【図８】サーバにより行われるＰＯＰ候補データ編集処理の一例を示すフローチャートである。
【図９】ＰＯＰ候補データ編集処理において表示されるＰＯＰ候補データの例を示す図である。
【発明を実施するための形態】
【０００９】
以下に、本発明を実施するための形態について図面を用いて説明する。ただし、以下に述べる実施形態には、本発明を実施するために技術的に好ましい種々の限定が付されているが、発明の範囲を以下の実施形態及び図示例に限定するものではない。
【００１０】
《広告作成システム１の構成》
まず、図１を参照して、本実施形態の構成を説明する。図１は、本実施形態の広告作成システム１の概略構成図である。
【００１１】
本実施形態の広告作成システム１は、入力される情報に基づき広告としてのＰＯＰデータを作成するシステムであって、ユーザの操作に応じて、ＰＯＰ候補データ（表示候補）に含まれるＰＯＰデータ構成要素（表示構成要素）を異なる表示態様に変更することができるシステムである。
【００１２】
図１に示すように、広告作成システム１は、サーバ（広告作成装置）４と、ユーザ端末であるスマートフォンやタブレット端末等の携帯端末２ａ、２ｂと、ＰＣ（personal computer）３ａ、３ｂと、印刷装置１１と、を備えて構成され、各装置が通信ネットワークＮを介して通信接続される。以下、携帯端末２ａ、２ｂやＰＣ３ａ、３ｂを総称してユーザ端末と記すことがある。なお、携帯端末２ａ、２ｂ及びＰＣ３ａ、３ｂがサーバ４と通信接続するものとしたが、これに限られるものではなく、サーバ４によるサービスの提供を受けるユーザの数に応じて複数のユーザ端末が存在し、それらがサーバ４と通信接続する。また、サーバ４は、ユーザ端末としてＰＯＳ（Point Of Sales）端末等と通信接続するものとしても良い。
【００１３】
サーバ４は、販売促進を目的とする広告としてＰＯＰデータを作成し、作成されたＰＯＰデータを管理する。また、サーバ４は、ユーザ端末からの要求に応じて、ＰＯＰデータを作成するための情報を入力する入力画面５、作成されたＰＯＰ候補データのプレビュー画面６、ＰＯＰ候補データに含まれるＰＯＰデータ構成要素を異なる表示態様に変更する編集画面７等をユーザ端末に配信する。
【００１４】
携帯端末２ａ、２ｂ等のユーザ端末は、サーバ４から送信される各種表示情報を受信して表示し、またユーザの操作入力を受け付けてその操作情報をサーバ４へ送信する。
【００１５】
印刷装置１１は、電子写真式、インクジェット式等の家庭用又は業務用プリンタであって、入力される印刷指示に応じて、ＰＯＰデータ等を用紙上にプリントする。
【００１６】
通信ネットワークＮは、インターネットにより構成されているものとするが、ＬＡＮ（Local Area Network）、ＷＡＮ（Wide Area Network）等を含めても良く、電話回線、専用線、移動体通信網、通信衛星網、ＣＡＴＶ（Cable Television）回線等を含めても良い。
【００１７】
また、広告作成システム１は、各種ユーザ端末で利用される他のアプリケーションプログラムを実行可能なように構成されていても良い。当該アプリケーションプログラムとしては、例えば、店舗等の日別・月別の売上集計や分析を行う売上管理業務や、固定資産税や個人事業税等の納税処理を行う会計管理業務や、従業員の給与計算の処理を行う給与管理業務や、店舗等の人員シフトの管理と従業員の勤怠管理の処理を行う就業管理業務や、関連事業者や従業員への通達文書の作成・管理を行う文書管理業務等を行うものが挙げられ、これらが実行可能とされていることで、広告作成システム１が経営支援システムとして機能するものとしても良い。
【００１８】
《サーバ４の構成》
次いで、サーバ４の内部構成を説明する。図２に、サーバ４の内部構成を示す。
【００１９】
図２に示すように、サーバ４は、ＣＰＵ（Central Processing Unit）４１と、操作入力部４２と、ＲＡＭ（Random Access Memory）４３と、サーバ表示部４４と、記憶部４５と、通信部４６と、計時部４７と、を備えて構成され、各部がバス４８を介して接続されている。
【００２０】
ＣＰＵ４１は、記憶部４５に記憶されているシステムプログラムを読み出し、ＲＡＭ４３のワークエリアに展開し、当該システムプログラムに従って各部を制御する。また、ＣＰＵ４１は、記憶部４５に記憶されている処理プログラムを読み出してワークエリアに展開し、後述するＰＯＰデータ作成処理、ＰＯＰ候補データ編集処理等のサーバ４側の処理を始めとする各種処理を実行し、選択手段、作成手段、表示制御手段及び設定手段として機能する。
【００２１】
操作入力部４２は、カーソルキー、文字、数字入力キー及び各種機能キー等を備えたキーボードを含む構成とし、ユーザによる各キーの押下入力を受け付けてその操作情報をＣＰＵ４１に出力する。また、操作入力部４２は、マウス等のポインティングデバイスを含み、位置入力を受け付けて操作情報としてＣＰＵ４１に出力することとしても良い。
【００２２】
ＲＡＭ４３は、揮発性のメモリーである。また、ＲＡＭ４３は、実行される各種プログラムやこれら各種プログラムに係るデータ等を格納するワークエリアを有する。
【００２３】
サーバ表示部４４は、ＬＣＤ（Liquid Crystal Display）、ＣＲＴ（Cathode Ray Tube）等で構成され、ＣＰＵ４１からの表示制御信号に従って画面表示を行う。
【００２４】
記憶部４５は、磁気記録媒体を有するＨＤＤ（Hard Disk Drive）等により構成される。記憶部４５には、ＣＰＵ４１で実行されるシステムプログラムや処理プログラム、Ｗｅｂサーバプログラム等のアプリケーションプログラム、これらのプログラムの実行に必要なデータ等が記憶されている。処理プログラムには、後述するＰＯＰデータ作成処理、ＰＯＰ候補データ編集処理等のサーバ４側の処理を始めとする各種処理を実行するためのプログラムが含まれる。
これらのプログラムは、コンピュータ読み取り可能なプログラムコードの形態で記憶部４５に格納されている。ＣＰＵ４１は、当該プログラムコードに従った動作を逐次実行する。
【００２５】
また、記憶部４５は、ＰＯＰデータ作成処理等に用いられる各種データをあらかじめ記憶する。すなわち、記憶部４５は、例えば、ＰＯＰデータのレイアウト、ＰＯＰデータに含まれるアイキャッチ、書体、背景、フォント色、テクスチャ、イラスト等のＰＯＰデータ構成要素を記憶する。このようにＰＯＰデータ構成要素は互いに異なるカテゴリに分類されている。また、記憶部４５は、ユーザが経営又は所属する店舗又は会社の業種・業態等を含むユーザ情報等を記憶する。記憶部４５に記憶されるＰＯＰデータ構成要素は、入力画面５に入力される情報（商品の名称、キャッチコピー及び画像データ）から導き出される単語や配色、ユーザ情報に含まれる業種・業態、計時部４７により特定される季節・イベント等と各々対応付けられている。
【００２６】
また、記憶部４５は、ＰＯＰデータ作成処理、ＰＯＰ候補データ編集処理等においてユーザにより入力される各種データを記憶する。すなわち、記憶部４５は、例えば、入力画面５で入力される画像データ、過去に作成されたＰＯＰデータの作成履歴等を記憶する。
【００２７】
通信部４６は、モデム、ＴＡ（Terminal Adapter）、ルータ、ネットワークカード等により構成される。通信部４６は、通信ネットワークＮ上のユーザ端末等の外部機器と通信接続してデータ送受信を行う。
【００２８】
計時部４７は、計時回路を内蔵し、現在の時刻及び日付を計時して現在の時刻情報として出力する。
【００２９】
《携帯端末２ａの構成》
次いで、携帯端末２ａを例にとってユーザ端末の内部構成を説明する。図３に、携帯端末２ａの内部構成を示す。
【００３０】
図３に示すように、携帯端末２ａは、ＣＰＵ２１と、操作入力部２２と、ＲＡＭ２３と、端末表示部（表示画面）２４と、記憶部２５と、通信部２６と、計時部２７と、を備えて構成され、各部がバス２８を介して接続されている。
なお、携帯端末２ｂ及びＰＣ３ａ、３ｂも略同様に構成されている。
【００３１】
ＣＰＵ２１、操作入力部２２、ＲＡＭ２３、端末表示部２４、記憶部２５、通信部２６、計時部２７は、それぞれ、サーバ４のＣＰＵ４１、操作入力部４２、ＲＡＭ４３、サーバ表示部４４、記憶部４５、通信部４６、計時部４７の構成と略同様であり、異なる部分を主として説明する。
【００３２】
ＣＰＵ２１は、記憶部２５に記憶されているシステムプログラムを読み出し、ＲＡＭ２３のワークエリアに展開し、当該システムプログラムに従って各部を制御する。また、ＣＰＵ２１は、記憶部２５に記憶されている処理プログラムを読み出してワークエリアに展開し、後述するＰＯＰデータ作成処理、ＰＯＰ候補データ編集処理等の携帯端末２ａ側の処理を始めとする各種処理を実行する。
【００３３】
操作入力部２２は、押しボタンスイッチや、端末表示部２４上に設けられるタッチセンサ等を有して構成され、ユーザの入力操作を受け付けて、操作内容を電気信号に変換してＣＰＵ２１に出力する。
【００３４】
端末表示部２４は、ＬＣＤ、ＣＲＴ等で構成され、ＣＰＵ２１からの表示制御信号に従って画面表示を行う。また、端末表示部２４上には上記タッチセンサが設けられており、タッチパネル方式の操作表示手段を構成する。
【００３５】
記憶部２５は、磁気記録媒体を有するＨＤＤ等により構成される。記憶部２５には、ＣＰＵ２１で実行されるシステムプログラムや処理プログラム、Ｗｅｂブラウザ等のアプリケーションプログラム、これらのプログラムの実行に必要なデータ等が記憶されている。当該処理プログラムには、後述するＰＯＰデータ作成処理、ＰＯＰ候補データ編集処理等の携帯端末２ａ側の処理を始めとする各種処理を実行するためのプログラムが含まれる。
【００３６】
通信部２６は、通信ネットワークＮ上のサーバ４等の外部機器と通信を行う。
【００３７】
《サーバ４の動作》
本実施形態のサーバ４により行われるＰＯＰデータ作成処理について、図４〜図７を参照して説明する。図４は、ＰＯＰデータ作成処理の一例を示すフローチャートである。図５は、端末表示部２４に表示される情報入力前の入力画面５を示す図である。図６は、端末表示部２４に表示される情報入力後の入力画面５を示す図である。図７は、端末表示部２４に表示されるプレビュー画面６の一例を示す図である。
【００３８】
サーバ４は、ユーザ端末を介してユーザにより入力されたテキストや画像データに基づき、対象の商品又は役務を紹介するＰＯＰデータを作成するＰＯＰデータ作成処理を行うよう構成されている。
【００３９】
具体的には、図４に示すように、サーバ４のＣＰＵ４１は、ユーザ端末よりＰＯＰデータ作成用のプログラムの実行が要求されたときに、図５に示す入力画面５を端末表示部２４に表示させる（ステップＳ１０１）。入力画面５は、ＰＯＰデータの作成に必要な情報を入力する画面である。当該必要な情報としては、作成するＰＯＰデータにて紹介する対象の商品の名称（商品名）、対象の商品の価格、対象の商品のキャッチコピー及び対象の商品の画像データであり、これらのうち対象の商品の名称及び画像データの少なくとも一方が、本実施形態において対象の商品を特定する特定情報を構成する。したがって、入力画面５には、それらの各情報を入力するための入力欄として、商品名入力欄５１、価格入力欄５２、キャッチコピー入力欄５３及び画像データ入力欄５４が設けられている。また、入力画面５には、各入力欄５１〜５４の他に、紹介する商品をＰＯＰデータに追加する際にユーザにより選択される商品追加ボタン５５、情報入力後ＰＯＰデータを作成する際にユーザにより選択される作成ボタン５６、入力画面５の表示を終了する際にユーザにより選択されるキャンセルボタン５７、キャッチコピー入力の参考となる情報（例えば、キャッチコピーのサンプルやトレンドワード等）を表示する際にユーザにより選択される参考ボタン５８等が設けられている。
【００４０】
入力画面５において、ユーザにより商品追加ボタン５５が選択されると、入力画面５に商品名入力欄５１、価格入力欄５２、キャッチコピー入力欄５３及び画像データ入力欄５４が各一つずつ追加される。ユーザにより、追加された各入力欄５１〜５４に情報が入力されることで、ＣＰＵ４１は、二種の商品の紹介が含まれたＰＯＰデータを作成することができる。よって、商品追加ボタン５５が複数回選択され、各入力欄５１〜５４に情報が入力されることで、ＣＰＵ４１は、複数種の商品の紹介が含まれたＰＯＰデータを作成することができる。
【００４１】
なお、入力画面５の各入力欄５１〜５４には、一つの商品について少なくとも特定情報、すなわち対象商品の商品名及び画像データの少なくとも一方が入力されていれば良いが、入力される情報が多いほど作成されるＰＯＰデータの精度が向上するため、各入力欄５１〜５４の全てに情報が入力されることが好ましい。
【００４２】
次に、図４に示すように、ＣＰＵ４１は、入力が完了したか否かを判定する（ステップＳ１０２）。具体的には、例えば、ＣＰＵ４１は、ユーザにより少なくとも商品名入力欄５１に商品名が入力されるか、又は画像データ入力欄５４に画像データが入力された上で、作成ボタン５６が選択された場合に、入力が完了したと判定する。
【００４３】
入力が完了していないと判定されると（ステップＳ１０２；ＮＯ）、ＣＰＵ４１は、再びステップＳ１０２の処理を行う。入力が完了したと判定されると（ステップＳ１０２；ＹＥＳ）、ＣＰＵ４１は、商品名入力欄５１、キャッチコピー入力欄５３及び画像データ入力欄５４に入力された情報に基づき、ＰＯＰデータ構成要素を選択する（ステップＳ１０３）。
【００４４】
具体的には、ＣＰＵ４１は、入力された商品名、キャッチコピー及び画像データに適したレイアウト、フォント色、書体、背景、テクスチャ、イラスト、アイキャッチ等の各ＰＯＰデータ構成要素を記憶部４５から選択する。
【００４５】
商品名入力欄５１やキャッチコピー入力欄５３に商品名やキャッチコピーのテキストが入力されている場合には、ＣＰＵ４１は、入力されたテキストを形態素解析し、当該テキストに含まれる単語を抽出する。そして、ＣＰＵ４１は、抽出された単語にそれぞれ対応付けられたＰＯＰデータ構成要素を記憶部４５から選択する。
例えば、図６に示すように、商品名入力欄５１に「ゆず塩ラーメン」が入力された場合には、ＣＰＵ４１はこれを形態素解析して、「ゆず」、「塩」及び「ラーメン」の単語を抽出する。そして、ＣＰＵ４１は、例えば、「ゆず」の単語に対応付けられた黄色や緑色のフォント色、柚子のイラスト等のＰＯＰデータ構成要素を選択する。また、例えば、「ラーメン」の単語に対応付けられた、ラーメンの紹介に適したレイアウト等のＰＯＰデータ構成要素を選択する。
【００４６】
また、画像データ入力欄５４に商品の画像データが入力されている場合には、ＣＰＵ４１は、入力された画像データに対して画像解析を行い、例えば、当該画像データを構成する配色や、当該画像データが示す商品の名称（単語）等を特定する。ＣＰＵ４１は、画像解析結果により導き出される配色や単語に対応付けられたＰＯＰデータ構成要素を記憶部４５から選択する。
例えば、図６に示すように、画像データ入力欄５４に「ラーメン」の画像データが入力された場合には、ＣＰＵ４１はこれを画像解析して、その画像データの配色や、画像データが示す商品の名称である「ラーメン」の単語を特定する。そして、特定された配色に対応付けられたフォント色や背景等のＰＯＰデータ構成要素を選択したり、「ラーメン」の単語に対応付けられた、ラーメンの紹介に適したレイアウト等のＰＯＰデータ構成要素を選択したりする。
【００４７】
また、ＣＰＵ４１は、入力画面５に入力された情報だけでなく、さらに、記憶部４５にユーザ情報として記憶されるユーザの業種・業態や、計時部４７により特定される現在の季節・イベントに基づいて、ＰＯＰデータ構成要素を選択しても良い。具体的には、ユーザの業種・業態が例えば「中華料理店」を示す場合には、「中華料理店」の業種・業態に対応付けられた赤色のフォント色や、赤色を基調とした背景等のＰＯＰデータ構成要素を選択する。また、計時部４７により特定される季節・イベントが例えば「春」や「夏」である場合には、「春」や「夏」の季節・イベントに対応付けられた暖色系のフォント色等のＰＯＰデータ構成要素を選択する。また、計時部４７により特定される季節・イベントが例えば「クリスマス」である場合には、「クリスマス」の季節・イベントに対応付けられたイラスト等のＰＯＰデータ構成要素を選択する。
【００４８】
次に、ＣＰＵ４１は、ステップＳ１０３の処理にて選択されたＰＯＰデータ構成要素を記憶部４５から取得し、それらを入力画面５で入力された情報と組み合わせて複数種のＰＯＰ候補データを作成する（ステップＳ１０４）。なお、選択されたＰＯＰデータ構成要素の数が、作成するＰＯＰ候補データの数に対して多い場合には、選択されたＰＯＰデータ構成要素の中から必要数をランダムで選択するものとしても良い。
【００４９】
次に、ＣＰＵ４１は、作成された複数種のＰＯＰ候補データを端末表示部２４に表示させる（ステップＳ１０５）。具体的には、ＣＰＵ４１は、図７に示すように、作成された複数種のＰＯＰ候補データのうちの一つが表示されたプレビュー画面６を端末表示部２４に表示させる。ここで表示されるＰＯＰ候補データとしては、ステップＳ１０４で作成された複数種のＰＯＰ候補データのうちいずれであっても良いが、過去に作成されたＰＯＰデータの作成履歴において、高い頻度で使用されているＰＯＰデータ構成要素を多く含むものであることが好ましい。これにより、ユーザは、自分の好みに近いデザインのＰＯＰ候補データを見つけ出しやすい。
また、プレビュー画面６において、ＣＰＵ４１は、ユーザにより所定の操作が行われることで、ステップＳ１０４で作成された他のＰＯＰ候補データを順次表示させる。
【００５０】
次に、図４に示すように、ＣＰＵ４１は、ユーザにより所望のＰＯＰ候補データを選択する選択操作が入力されたか否かを判定する（ステップＳ１０６）。具体的には、例えば、ＣＰＵ４１は、所望のＰＯＰ候補データが端末表示部２４に表示された状態で、ユーザにより選択ボタン６１が選択された場合に、当該ＰＯＰ候補データを選択する選択操作が入力されたと判定する。
【００５１】
選択操作が入力されないと判定されると（ステップＳ１０６；ＮＯ）、ＣＰＵ４１は、ユーザによりプレビュー画面６の表示を終了するキャンセル操作が入力されたか否かを判定する（ステップＳ１０８）。具体的には、例えば、ＣＰＵ４１は、ユーザによりキャンセルボタン６２が選択された場合に、キャンセル操作が入力されたと判定する。
【００５２】
キャンセル操作が入力されたと判定されると（ステップＳ１０８；ＹＥＳ）、ＣＰＵ４１は、プレビュー画面６の表示を終了し、再びステップＳ１０１の処理を行う。キャンセル操作が入力されないと判定されると（ステップＳ１０８；ＮＯ）、ＣＰＵ４１は、再び上記ステップＳ１０６の処理を行う。
【００５３】
また、選択操作が入力されたと判定されると（ステップＳ１０６；ＹＥＳ）、ＣＰＵ４１は、当該選択操作に基づき、ステップＳ１０４で作成された複数種のＰＯＰ候補データの中から一つＰＯＰ候補データを選択する（ステップＳ１０７）。
【００５４】
次に、ＣＰＵ４１は、ユーザによりＰＯＰ候補データを編集する編集操作が入力されたか否かを判定する（ステップＳ１０９）。
【００５５】
編集操作が入力されたと判定されると（ステップＳ１０９；ＹＥＳ）、ＣＰＵ４１は、ステップＳ１０７で選択されたＰＯＰ候補データに対し、含まれるＰＯＰデータ構成要素の表示態様を変更するＰＯＰ候補データ編集処理を行う（ステップＳ１１０）。なお、ＰＯＰ候補データ編集処理の詳細については後述する。
【００５６】
編集操作が入力されないと判定されると（ステップＳ１０９；ＮＯ）、ＣＰＵ４１は、上記ステップＳ１０９の処理を省略する。
【００５７】
以上のようにして、ＰＯＰデータ作成処理を行う。
上記ＰＯＰデータ作成処理終了後、ＣＰＵ４１は、作成されたＰＯＰ候補データを完成版のＰＯＰデータとして記憶部４５に記憶させる。また、ＣＰＵ４１は、当該完成版のＰＯＰデータについてユーザ端末から印刷の実行が要求された場合には、通信部４６を介して当該ＰＯＰデータを印刷装置１１に出力し、印刷装置１１に印刷させるものとしても良い。
【００５８】
なお、上記ステップＳ１０４では、ＰＯＰ候補データを複数作成し、上記ステップＳ１０７では、ユーザによる選択操作に基づきＰＯＰ候補データを選択するものとしたが、これに限られるものではない。例えば、ＣＰＵ４１が、上記ステップＳ１０４にてＰＯＰ候補データを一つ作成し、上記ステップＳ１０６及びＳ１０７の処理を行わない（ＰＯＰ候補データの選択を行わない）ものとしても良い。
【００５９】
次に、本実施形態のサーバ４により行われるＰＯＰ候補データ編集処理について、図８及び図９を参照して説明する。図８は、ＰＯＰ候補データ編集処理の一例を示すフローチャートである。図９は、ユーザによる操作入力により変更されるＰＯＰデータの例を示す図である。
【００６０】
ここで、ＰＯＰ候補データ編集処理においてＣＰＵ４１は、端末表示部２４に表示させる表示サンプルを切り替える第１の切り替え操作又は第２の切り替え操作を受け付け、受け付けた切り替え操作に応じて、切り替え後の表示サンプルとして表示されることとなるＰＯＰ候補データを、複数のＰＯＰ候補データの中から各ＰＯＰ候補データに設定されている表示順位に基づいて選択する。当該表示順位は、第１の軸方向に並ぶ複数のＰＯＰ候補データ間で第１の表示態様種別として第１のＰＯＰデータ構成要素（第１の表示構成要素）における表示態様が互いに異なり、かつ第２の軸方向に並ぶ複数のＰＯＰ候補データ間で第２の表示態様種別として第２のＰＯＰデータ構成要素（第２の表示構成要素）における表示態様が互いに異なるように配列された２次元的な配列において、切り替え前のサンプルに対応したＰＯＰ候補データに隣接するＰＯＰ候補データのうち第１の軸方向又は第２の軸方向に隣接するＰＯＰ候補データが切り替え後の表示サンプルとして選択されるよう設定されたものである。そして、ＣＰＵ４１は、選択されたＰＯＰ候補データを、切り替え後の表示サンプルとして端末表示部２４に表示させる。ＣＰＵ４１は、ユーザにより入力される第１の切り替え操作又は第２の切り替え操作を受け付ける度にこれらの処理を繰り返す。
【００６１】
具体的には、図８に示すように、まず、ＣＰＵ４１は、上記ステップＳ１０７で選択されたＰＯＰ候補データが表示サンプルとして表示された編集画面７を端末表示部２４に表示させる（ステップＳ２０１）。編集画面７には、図９に示すように、第１のＰＯＰデータ構成要素及び第２のＰＯＰデータ構成要素を設定する設定ボタン７１、７２、選択されたＰＯＰ候補データを端末表示部２４に表示サンプルとして表示されるＰＯＰ候補データに更新する際に選択される決定ボタン７３、編集画面７の表示を終了する際に選択されるキャンセルボタン７４等が設けられている。なお、設定ボタン７１、７２には、第１及び第２のＰＯＰデータ構成要素として現時点で設定されているＰＯＰデータ構成要素がそれぞれ表示される。したがって、図９に示す例においては、設定ボタン７１、７２にはそれぞれ「レイアウト」、「背景」が表示されているため、第１のＰＯＰデータ構成要素として「レイアウト」、第２のＰＯＰデータ構成要素として「背景」が設定されているものである。
【００６２】
次に、ＣＰＵ４１は、ユーザにより端末表示部２４に第１の切り替え操作として左右方向へのスワイプ操作が入力されたか否かを判定する（ステップＳ２０２）。
【００６３】
左右方向へのスワイプ操作が入力されたと判定されると（ステップＳ２０２；ＹＥＳ）、ＣＰＵ４１は、第１のＰＯＰデータ構成要素の表示態様が異なるＰＯＰ候補データを表示サンプルとして端末表示部２４に表示させる（ステップＳ２０３）。例えば、第１のＰＯＰデータ構成要素として「レイアウト」が設定されている場合には、ＣＰＵ４１は、図９に示すように端末表示部２４に表示されるＰＯＰ候補データＰ１とレイアウトの表示態様のみが異なるＰＯＰ候補データＰ２〜Ｐ４等のいずれか一つを端末表示部２４に表示させる。したがって、ユーザにより左右方向へのスワイプ操作が繰り返されることで、ＣＰＵ４１は、レイアウトの表示態様のみが異なる種々のＰＯＰ候補データＰ１〜Ｐ４等を表示サンプルとして端末表示部２４に表示させることができる。これにより、ユーザは、自分の好みに近いデザインのＰＯＰ候補データを見つけ出しやすい。なお、図９に示す例においては、レイアウトの表示態様のみが異なるＰＯＰ候補データとして、ＰＯＰ候補データＰ２〜Ｐ４を例示しているが、他の表示態様のレイアウトを含むＰＯＰ候補データが更に表示されるものとしても良い。
【００６４】
一方、左右方向へのスワイプ操作が入力されないと判定されると（ステップＳ２０２；ＮＯ）、ＣＰＵ４１は、ユーザにより端末表示部２４に第２の切り替え操作として上下方向へのスワイプ操作が入力されたか否かを判定する（ステップＳ２０４）。
【００６５】
上下方向へのスワイプ操作が入力されたと判定されると（ステップＳ２０４；ＹＥＳ）、ＣＰＵ４１は、第２のＰＯＰデータ構成要素の表示態様が異なるＰＯＰ候補データを端末表示部２４に表示させる（ステップＳ２０５）。例えば、第２のＰＯＰデータ構成要素として「背景」が設定されている場合には、ＣＰＵ４１は、図９に示すように端末表示部２４に表示されるＰＯＰ候補データＰ１と背景の表示態様のみが異なるＰＯＰ候補データＰ５、Ｐ６等のいずれか一つを端末表示部２４に表示させる。したがって、ユーザにより上下方向へのスワイプ操作が繰り返されることで、ＣＰＵ４１は、背景の表示態様のみが異なる種々のＰＯＰ候補データＰ１、Ｐ５、Ｐ６等を表示サンプルとして端末表示部２４に表示させることができる。これにより、ユーザは、自分の好みに近いデザインのＰＯＰ候補データを見つけ出しやすい。なお、図９に示す例においては、背景の表示態様のみが異なるＰＯＰ候補データとして、ＰＯＰ候補データＰ５、Ｐ６を例示しているが、他の表示態様の背景を含むＰＯＰ候補データが更に表示されるものとしても良い。
【００６６】
上下方向へのスワイプ操作が入力されていないと判定されると（ステップＳ２０４；ＮＯ）、ＣＰＵ４１は、上記ステップＳ２０５の処理を省略する。
【００６７】
次に、ＣＰＵ４１は、ユーザにより設定操作が入力されたか否かを判定する（ステップＳ２０６）。具体的には、例えば、ユーザにより設定ボタン７１又は７２が選択され、かつ設定ボタン７１、７２に表示されるＰＯＰデータ構成要素と異なるＰＯＰデータ構成要素が選択された場合に、ＣＰＵ４１は、設定操作が入力されたと判定する。設定ボタン７１、７２で選択されるＰＯＰデータ構成要素としては、レイアウト、アイキャッチ、書体、背景、フォント色、テクスチャ及びイラストが挙げられ、既に第１又は第２のＰＯＰデータ構成要素として設定されているもの以外のものを選択可能である。
【００６８】
設定操作が入力されたと判定されると（ステップＳ２０６；ＹＥＳ）、ＣＰＵ４１は、ユーザにより入力された設定操作に基づき、第１又は第２のＰＯＰデータ構成要素を設定する（ステップＳ２０７）。例えば、設定ボタン７１にて「書体」が第１のＰＯＰデータ構成要素に設定された場合には、ユーザにより左右方向のスワイプ操作が入力されることで、ＣＰＵ４１は、次にステップＳ２０３の処理を行う際に、端末表示部２４に表示されるＰＯＰ候補データと「書体」の表示態様のみが異なるＰＯＰ候補データを表示させる。また、例えば、設定ボタン７１にて「フォント色」が第２のＰＯＰデータ構成要素に設定された場合には、ユーザにより上下方向のスワイプ操作が入力されることで、ＣＰＵ４１は、次にステップＳ２０５の処理を行う際に、端末表示部２４に表示されるＰＯＰ候補データと「フォント色」の表示態様のみが異なるＰＯＰ候補データを表示させる。
【００６９】
設定操作が入力されないと判定されると（ステップＳ２０６；ＮＯ）、ＣＰＵ４１は、上記ステップＳ２０７の処理を省略する。
【００７０】
次に、ＣＰＵ４１は、ユーザにより決定操作が入力されたか否かを判定する（ステップＳ２０８）。具体的には、例えば、ＣＰＵ４１は、編集画面７においてユーザにより決定ボタン７３が選択された場合に、決定操作が入力されたと判定する。
【００７１】
決定操作が入力されないと判定されると（ステップＳ２０８；ＮＯ）、ＣＰＵ４１は、ユーザによりキャンセル操作が入力されたか否かを判定する（ステップＳ２１０）。具体的には、例えば、ＣＰＵ４１は、編集画面７においてユーザによりキャンセルボタン７４が選択された場合に、キャンセル操作が入力されたと判定する。
【００７２】
キャンセル操作が入力されたと判定されると（ステップＳ２１０；ＹＥＳ）、ＣＰＵ４１は、ＰＯＰデータ作成処理を終了する。
【００７３】
また、キャンセル操作がなされないと判定されると（ステップＳ２１０；ＮＯ）、ＣＰＵ４１は、再びステップＳ２０２の処理を行う。したがって、例えば、上記ステップＳ２０３の処理が行われたことで端末表示部２４にＰＯＰ候補データＰ２が表示されている場合には、次にステップＳ２０５の処理が行われる際にはＰＯＰ候補データＰ２と背景のみが異なるＰＯＰ候補データ（図示略）を端末表示部２４に表示させることとなる。また、例えば、上記ステップＳ２０５の処理が行われたことで端末表示部２４にＰＯＰ候補データＰ５が表示されている場合には、次にステップＳ２０３の処理が行われる際にはＰＯＰ候補データＰ５と背景のみが異なるＰＯＰ候補データ（図示略）を端末表示部２４に表示させることとなる。
【００７４】
また、決定操作が入力されたと判定されると（ステップＳ２０８；ＹＥＳ）、ＣＰＵ４１は、上記ステップＳ１０７の処理で選択されたＰＯＰ候補データを、端末表示部２４に表示されるＰＯＰ候補データに更新する（ステップＳ２０９）。
以上のようにしてＰＯＰ候補データ編集処理を行う。
【００７５】
《本実施形態の技術的効果》
本実施形態によれば、サーバ４が、複数のＰＯＰデータ構成要素からなるＰＯＰデータを、表示サンプルとして端末表示部２４に表示させ、端末表示部２４に表示させる表示サンプルの切り替え操作を受け付け、受け付けた切り替え操作に応じて、切り替え後の表示サンプルとして表示されることとなるＰＯＰ候補データを、複数のＰＯＰ候補データのなかから各ＰＯＰ候補データに設定されている表示順位に基づいて選択するＣＰＵ４１を備え、複数のＰＯＰ候補データが、表示順位に基づいて複数のＰＯＰ候補データを仮に２次元的に配列させた場合に、第１の軸方向に並ぶ複数のＰＯＰに候補データ間で第１の表示態様種別における表示態様が互いに異なり且つ第２の軸方向に並ぶ複数のＰＯＰ候補データ間で第２の表示態様種別における表示態様が互いに異なる配列となるように、表示順位付けされており、ＣＰＵ４１が、当該配列において、切り替え前の表示サンプルに対応したＰＯＰ候補データに隣接するＰＯＰ候補データのうち、第１の軸方向または第２の軸方向に隣接するＰＯＰ候補データを、切り替え後の表示サンプルとして選択するための操作として、切り替え操作を受け付けるので、ユーザは、よりユーザ自身の好みに近いデザインのＰＯＰデータを容易に得ることができる。
【００７６】
また、本実施形態によれば、対象の商品の販売促進を目的としたＰＯＰデータを作成するサーバ４が、ユーザにより入力される対象の商品を特定する特定情報に基づき、ＰＯＰデータを構成するＰＯＰデータ構成要素を選択し、選択されるＰＯＰデータ構成要素を取得して特定情報と組み合わせることでＰＯＰ候補データを作成し、作成されるＰＯＰ候補データを端末表示部２４に表示させるＣＰＵ４１を備え、ＣＰＵ４１は、ユーザにより第１の切り替え操作が入力された場合に、端末表示部２４に表示されるＰＯＰ候補データに含まれる第１のＰＯＰデータ構成要素の表示態様が異なるＰＯＰ候補データを端末表示部２４に表示させ、ユーザにより第２の切り替え操作が入力された場合に、端末表示部２４に表示されるＰＯＰ候補データに含まれる第２のＰＯＰデータ構成要素の表示態様が異なるＰＯＰ候補データを端末表示部２４に表示させるので、ユーザは、よりユーザ自身の好みに近いデザインのＰＯＰデータを容易に得ることができる。
【００７７】
また、端末表示部２４が、タッチパネル方式の操作表示手段であり、第１の切り替え操作が、一方向へのスワイプ操作であり、第２の切り替え操作が、一方向に交差する方向へのスワイプ操作であるので、ユーザは、スワイプ操作を繰り返すのみでＰＯＰ候補データに含まれるＰＯＰデータ構成要素を異なる表示態様に変更することができ、より容易に好みのＰＯＰデータを得ることができる。
【００７８】
また、第１のＰＯＰデータ構成要素及び第２のＰＯＰデータ構成要素がそれぞれ、レイアウト、アイキャッチ、書体、背景、フォント色、テクスチャ及びイラストのいずれかであるので、ユーザは、これらが変更された、よりユーザ自身の好みに近いＰＯＰデータを得ることができる。
【００７９】
また、ＣＰＵ４１が、ユーザによる操作に応じて、第１のＰＯＰデータ構成要素及び第２のＰＯＰデータ構成要素を設定するので、ユーザは、二種のみでなく複数種のＰＯＰデータ構成要素が変更された、よりユーザ自身の好みに近いＰＯＰデータを得ることができる。
【００８０】
《その他》
なお、上記実施形態における記述は、本発明に係る好適な広告作成装置の一例であり、これに限定されるものではない。
【００８１】
例えば、上記した実施形態では、サーバ４は、各種データを記憶部４５に記憶し、各種画面を端末表示部２４に表示させるものとしたが、これに限られるものではない。例えば、サーバ４が、各種データを記憶部４５に記憶し、各種画面をサーバ表示部４４に表示させるように構成されていても良い。また、携帯端末２ａが、各種データを記憶部２５に記憶し、各種画面を端末表示部２４に表示するように構成されていても良く、この場合には携帯端末２ａ自体が広告作成装置として機能する。
【００８２】
また、上記した実施形態では、作成された複数種のＰＯＰ候補データをプレビュー画面６において一つずつ順番に表示されるものとしたが、これに限られるものではなく、例えば、作成された複数種のＰＯＰデータが複数ずつ順番に表示されるものとしても良いし、一覧表示されるものとしても良い。
【００８３】
また、上記した実施形態では、入力画面５に商品に関する情報を入力し、当該商品を紹介するＰＯＰデータを作成するものとしたが、これに限られるものではなく、例えば、入力画面５に役務に関する情報を入力し、当該役務を紹介するＰＯＰデータを作成するものとしても良い。
【００８４】
また、上記した実施形態では、第１又は第２の切り替え操作としてスワイプ操作が入力された場合に、第１又は第２のＰＯＰデータ構成要素が異なる表示態様のＰＯＰ候補データを表示するものとしたが、これに限られるものではない。例えば、所定ボタンのタップ操作や押下操作が入力された場合に、第１又は第２のＰＯＰデータ構成要素が異なる表示態様のＰＯＰ候補データを表示するものとしても良い。
また、例えば、第１又は第２の切り替え操作として入力されるスワイプ操作の速度に応じて、第１又は第２のＰＯＰデータ構成要素が異なる表示態様のＰＯＰ候補データを表示するものとしても良い。すなわち、スワイプ操作の速度が速い場合には、それよりもスワイプ操作の速度が遅い場合と比較して、第１又は第２のＰＯＰデータ構成要素が大きく異なるＰＯＰ候補データを表示するものとしても良い。
また、例えば、第１又は第２の切り替え操作としてスワイプ操作が入力された場合に、第１又は第２の表示態様種別における表示態様、すなわち、レイアウト、アイキャッチ、書体、背景、フォント色、テクスチャ及びイラストのうちいずれかの組み合わせの表示態様が異なる表示態様のＰＯＰ候補データを表示するものとしても良い。より具体的には、例えば、第１の切り替え操作が入力された場合にはレイアウト及び背景が異なる表示態様のＰＯＰ候補データを表示し、第２の切り替え操作が入力された場合にはアイキャッチ及びイラストが異なる表示態様のＰＯＰ候補データを表示するものとしても良い。このように、ＰＯＰデータ構成要素のうちいずれか一つのみが異なる表示態様に変化するものでなくとも良く、ＰＯＰデータ構成要素のうちの複数が異なる表示態様に変化するものであっても良い。
【００８５】
また、上記した実施形態では、第１又は第２の切り替え操作が入力された場合に、端末表示部２４に表示されるＰＯＰ候補データに代えて、第１又は第２のＰＯＰデータ構成要素が異なる表示態様のＰＯＰ候補データを表示させるものとしたが、これに限られるものではない。例えば、端末表示部２４に表示されるＰＯＰ候補データとともに、第１又は第２のＰＯＰデータ構成要素が異なる表示態様のＰＯＰ候補データの一部又は全体を表示させるものとしても良い。また、例えば、端末表示部２４に表示されるＰＯＰ候補データとともに、第１又は第２のＰＯＰデータ構成要素が異なる表示態様のＰＯＰ候補データの一部又は全体を複数表示させるものとしても良い。
【００８６】
また、上記した実施形態では、本発明に係るプログラムのコンピュータ読み取り可能な媒体としてハードディスクや半導体の不揮発性メモリー等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウェーブ（搬送波）も適用される。
【００８７】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
複数の表示構成要素からなる広告を、表示サンプルとして表示画面に表示させる表示制御手段と、
前記表示画面に表示させる表示サンプルの切り替え操作を受け付ける受付手段と、
前記受付手段により受け付けた切り替え操作に応じて、切り替え後の表示サンプルとして表示されることとなる表示候補を、複数の表示候補のなかから各表示候補に設定されている表示順位に基づいて選択する選択手段と、
を備え、
前記複数の表示候補は、前記表示順位に基づいて前記複数の表示候補を仮に２次元的に配列させた場合に、第１の軸方向に並ぶ複数の表示候補間で第１の表示態様種別における表示態様が互いに異なり且つ第２の軸方向に並ぶ複数の表示候補間で第２の表示態様種別における表示態様が互いに異なる配列となるように、表示順位付けされており、
前記受付手段は、前記配列において、切り替え前の表示サンプルに対応した表示候補に隣接する表示候補のうち、前記第１の軸方向または前記第２の軸方向に隣接する表示候補を、切り替え後の表示サンプルとして前記選択手段が選択するための操作として、前記切り替え操作を受け付けることを特徴とする広告作成装置。
＜請求項２＞
前記広告は、前記複数の表示構成要素が互いに異なるカテゴリに分類されていることを特徴とする請求項１に記載の広告作成装置。
＜請求項３＞
対象の商品又は役務の販売促進を目的とした広告を作成する広告作成装置であって、
ユーザにより入力される前記対象の商品又は役務を特定する特定情報に基づき、前記広告を構成する表示構成要素を選択する選択手段と、
前記選択手段により選択される前記表示構成要素を取得して前記特定情報と組み合わせることで表示候補を作成する作成手段と、
前記作成手段により作成される前記表示候補を表示画面に表示させる表示制御手段と、を備え、
前記表示制御手段は、ユーザにより第１の切り替え操作が入力された場合に、前記表示画面に表示される表示候補に含まれる第１の表示構成要素の表示態様が異なる表示候補を前記表示画面に表示させ、ユーザにより第２の切り替え操作が入力された場合に、前記表示画面に表示される表示候補に含まれる第２の表示構成要素の表示態様が異なる表示候補を前記表示画面に表示させることを特徴とする広告作成装置。
＜請求項４＞
前記表示画面は、タッチパネル方式の操作表示手段であり、
前記第１の切り替え操作は、一方向へのスワイプ操作であり、
前記第２の切り替え操作は、前記一方向に交差する方向へのスワイプ操作であることを特徴とする請求項３に記載の広告作成装置。
＜請求項５＞
前記第１の表示構成要素及び前記第２の表示構成要素はそれぞれ、レイアウト、アイキャッチ、書体、背景、フォント色、テクスチャ及びイラストのいずれかであることを特徴とする請求項３又は４に記載の広告作成装置。
＜請求項６＞
ユーザによる操作に応じて、前記第１の表示構成要素及び前記第２の表示構成要素を設定する設定手段を備えることを特徴とする請求項３から５のいずれか一項に記載の広告作成装置。
＜請求項７＞
コンピュータを、
複数の表示構成要素からなる広告を、表示サンプルとして表示画面に表示させる表示制御手段、
前記表示画面に表示させる表示サンプルの切り替え操作を受け付ける受付手段、
前記受付手段により受け付けた切り替え操作に応じて、切り替え後の表示サンプルとして表示されることとなる表示候補を、複数の表示候補のなかから各表示候補に設定されている表示順位に基づいて選択する選択手段、
として機能させるためのプログラムであって、
前記複数の表示候補は、前記表示順位に基づいて前記複数の表示候補を仮に２次元的に配列させた場合に、第１の軸方向に並ぶ複数の表示候補間で第１の表示態様種別における表示態様が互いに異なり且つ第２の軸方向に並ぶ複数の表示候補間で第２の表示態様種別における表示態様が互いに異なる配列となるように、表示順位付けされており、
前記受付手段は、前記配列において、切り替え前の表示サンプルに対応した表示候補に隣接する表示候補のうち、前記第１の軸方向または前記第２の軸方向に隣接する表示候補を、切り替え後の表示サンプルとして前記選択手段が選択するための操作として、前記切り替え操作を受け付けることを特徴とするプログラム。
＜請求項８＞
対象の商品又は役務の販売促進を目的とした広告を作成する広告作成装置のコンピュータを、
ユーザにより入力される前記対象の商品又は役務を特定する特定情報に基づき、前記広告を構成する表示構成要素を選択する選択手段、
前記選択手段により選択される前記表示構成要素を取得して前記特定情報と組み合わせることで表示候補を作成する作成手段、
前記作成手段により作成される前記表示候補を表示画面に表示させる表示制御手段、
として機能させるためのプログラムであって、
前記表示制御手段は、ユーザにより第１の切り替え操作が入力された場合に、前記表示画面に表示される表示候補に含まれる第１の表示構成要素の表示態様が異なる表示候補を前記表示画面に表示させ、ユーザにより第２の切り替え操作が入力された場合に、前記表示画面に表示される表示候補に含まれる第２の表示構成要素の表示態様が異なる表示候補を前記表示画面に表示させることを特徴とするプログラム。
【符号の説明】
【００８８】
４    サーバ（広告作成装置）
２４  端末表示部（表示画面）
４１  ＣＰＵ（表示制御手段、受付手段、選択手段、作成手段、設定手段）
【図１】
2018147362.tif 000003
【図２】
2018147362.tif 000004
【図３】
2018147362.tif 000005
【図４】
2018147362.tif 000006
【図５】
2018147362.tif 000007
【図６】
2018147362.tif 000008
【図７】
2018147362.tif 000009
【図８】
2018147362.tif 000010
【図９】
2018147362.tif 000011